(57)【特許請求の範囲】
【請求項１】
規格化された埋込ボックスに取付可能な寸法に形成された略箱形のボディ、このボディよりも大きい寸法に形成され開口面側からボディと結合されるカバーより成る器体と、カバーの前面に設けられ、形状が異なる複数種の接触子が挿入される２個の接触子挿入口から成るコンセント口と、カバーの前面に設けられ、接地極を含む３つの接触子が各々挿入される３個の接触子挿入口から成る３極型のコンセント口と、器体内に納装され埋込ボックスに配設された電線と接続される端子部と、器体内に収納され、各コンセント口の接触子挿入口から挿入される接触子と接触導通するとともに端子部と電気的に接続される接触子受け部とを備え、形状の異なる接触子が挿入可能な２個の接触子挿入口を開閉自在に閉塞し且つ接触子挿入口に挿入される接触子により開けられる第１の扉と、接地極を含む３つの接触子が挿入される３個の接触子挿入口を開閉自在に閉塞し且つ接触子挿入口に挿入される接触子により開けられる第２の扉とを器体内に配設し、カバーの前面に略平行な方向にスライド移動自在であり且つスライド移動方向に略直交する平面内でシーソー動自在に第１の扉を支持する中枠を備え、この中枠をカバーの背面に対向させて器体内に収納するとともに第１の扉が傾いたときに少なくとも第１の扉の一部に当接して第１の扉のスライド移動を規制する規制リブをカバーの背面に設けたことを特徴とするコンセント。
【請求項２】
端子部は、電線と接続される端子片と、この端子片に電線を圧接接続する鎖錠ばねと、鎖錠ばねを圧接解除方向に撓ませる解除釦とを具備し、３極型のコンセント口の接地極に対応する端子部が収納される収納凹所をボディに設けるとともに端子片並びに鎖錠ばねの下方の収納凹所底部に解除釦を配置したことを特徴とする請求項１記載のコンセント。
【請求項３】
端子部が収納される収納凹所をボディに設けるとともに、ボディとカバーを結合した際にカバーに当接する押さえリブを端子部に設けたことを特徴とする請求項１記載のコンセント。
【発明の詳細な説明】
【０００１】
【発明の属する技術分野】
本発明は、コンセントに関するものである。
【０００２】
【従来の技術】
従来、壁面等の造営面に設けられる埋込孔内に埋込ボックスが配設され、この埋込ボックスに直接あるいは取付枠を介してコンセントが取り付けられるようになっている。
ここで、図１１はＢＳ（Ｂｒｉｔｉｓｈ    Ｓｔａｎｄａｒｄ  、英国規格）４６６２に規定されている埋込ボックス３０を示している。この埋込ボックス３０は底面が略正方形の箱形に形成され、４つの周壁の開口端近傍略中央にはボックスねじが螺合するねじ孔３２が設けられた取付片３１が突設されている。そして、上記ねじ孔３２に螺合するボックスねじで器体あるいは取付枠が埋込ボックス３０に取り付けられる。
【０００３】
【発明が解決しようとする課題】
一方、コンセントに接続されるプラグには２極のものと接地極を有する３極のものが存在する。また、プラグの接触子にも平板状の栓刃や円柱状の導電ピン等のように種々の形状のものが存在し、例えば国や地域によって使用される接触子が異なり、一般には形状の異なる接触子を有するプラグに対応したコンセント口に他の種類のプラグを接続することができないようになっている。さらに、１つのコンセントに２極と３極のコンセント口を設けると、比較的に内径寸法の小さい上記英国規格の埋込ボックス３０に器体が収納できなくなってしまうという問題がある。
【０００４】
本発明は上記問題点の解決を目的とするものであり、２極と３極のコンセント口を具備し規格化された埋込ボックスに取り付けることのできるコンセントを提供しようとするものである。
【０００５】
【課題を解決するための手段】
請求項１の発明は、上記目的を達成するために、規格化された埋込ボックスに取付可能な寸法に形成された略箱形のボディ、このボディよりも大きい寸法に形成され開口面側からボディと結合されるカバーより成る器体と、カバーの前面に設けられ、形状が異なる複数種の接触子が挿入される２個の接触子挿入口から成るコンセント口と、カバーの前面に設けられ、接地極を含む３つの接触子が各々挿入される３個の接触子挿入口から成る３極型のコンセント口と、器体内に納装され埋込ボックスに配設された電線と接続される端子部と、器体内に収納され、各コンセント口の接触子挿入口から挿入される接触子と接触導通するとともに端子部と電気的に接続される接触子受け部とを備えたことを特徴とし、２極と３極のコンセント口を具備し、英国規格に規定されている埋込ボックスのように比較的に内径寸法が小さい、規格化された埋込ボックスに取り付けることのできるコンセントが提供できる。また、形状の異なる接触子が挿入可能な接触子挿入口を開閉自在に閉塞し且つ接触子挿入口に挿入される接触子により開けられる第１の扉と、接地極を含む３つの接触子が挿入される３個の接触子挿入口を開閉自在に閉塞し且つ接触子挿入口に挿入される接触子により開けられる第２の扉とを器体内に配設したことを特徴とし、２極と３極の２つのコンセント口を第１及び第２の扉で独立して閉塞することができ、何れか一方のコンセント口に接触子が挿入されている状態で他方のコンセント口の接触子挿入口から充電部が露出することがない安全なコンセントが提供できる。さらに、カバーの前面に略平行な方向にスライド移動自在であり且つスライド移動方向に略直交する平面内でシーソー動自在に第１の扉を支持する中枠を備え、この中枠をカバーの背面に対向させて器体内に収納するとともに第１の扉が傾いたときに少なくとも第１の扉の一部に当接して第１の扉のスライド移動を規制する規制リブをカバーの背面に設けたことを特徴とし、２極のコンセント口の片方の接触子挿入口のみに接触子が挿入された場合に、該接触子により押されることで第１の扉が傾くと、第１の扉が規制リブに当接してスライド移動が規制されるために開かず、充電部が露出するような事態の発生を防ぐことができる。
【０００６】
請求項２の発明は、請求項１の発明において、端子部が、電線と接続される端子片と、この端子片に電線を圧接接続する鎖錠ばねと、鎖錠ばねを圧接解除方向に撓ませる解除釦とを具備し、３極型のコンセント口の接地極に対応する端子部が収納される収納凹所をボディに設けるとともに端子片並びに鎖錠ばねの下方の収納凹所底部に解除釦を配置したことを特徴とし、鎖錠ばねの間に解除釦を配置する構成に比較して、他の端子部との絶縁距離を大きく採ることができ、両者の間に充分な絶縁距離を確保することが可能となる。
【０００７】
請求項３の発明は、請求項１の発明において、端子部が収納される収納凹所をボディに設けるとともに、ボディとカバーを結合した際にカバーに当接する押さえリブを端子部に設けたことを特徴とし、押さえリブによって端子部の動きが規制され、電線の接続時や取外し時に端子部が浮き上がることを防止できる。
【０００９】
【発明の実施の形態】
（参考例）
本発明の実施形態について説明する前に、本発明の実施形態と共通の基本構成を有する参考例について説明する。
図１は参考例を示す分解斜視図であり、合成樹脂製の器体１は略函形のボディ１ａとカバー１ｂとを組立枠６，６にて結合して組み立てられる。ここで、ボディ１ａの縦横及び深さ寸法は上述のＢＳ４６６２に規定された埋込ボックス３０に収納可能な寸法にしてある。
【００１０】
一方、カバー１ｂは長手方向に沿う両側面から肩部８が突設され、その長手方向の寸法がボディ１ａよりも大きく形成されており、前面には栓刃や導電ピン等の接触子が挿入される一対の接触子挿入口４，４から成るコンセント口（所謂ユニバーサル型のコンセント口）２と、各々に接地極を含む平板状の栓刃が挿入される３個の接触子（栓刃）挿入口５…から成るコンセント口（３極のコンセント口）３とが長手方向に沿って並べて設けてある。
【００１１】
ユニバーサル型のコンセント口２の各接触子挿入口４，４は平板状の栓刃や略円柱状の導電ピン等の種々の接触子に対応可能な形状、すなわち、栓刃が挿入される矩形孔４ａと導電ピンが挿入される半円形孔４ｂとを一体に連通させた形状に形成してある。また、３極のコンセント口３の各栓刃挿入口５は平板状の栓刃に対応させて矩形に形成され、接地極の栓刃が挿入される栓刃挿入口５ａの両側に残り（電圧極）の栓刃挿入口５ｂ，５ｂが逆ハ字形に配置してある。
【００１２】
そして、これらの接触子挿入口４…並びに栓刃挿入口５…に挿入される接触子（栓刃や導電ピン等）及び栓刃とそれぞれ接触導通する接触子受け部９…及び接触子（栓刃）受け部１０…が器体１の内部に納装されている。
また、カバー１ｂの両側の肩部８には略コ字状に形成された組立枠６がそれぞれ嵌合され、この組立枠６の両端並びに略中央に形成された略Ｖ形の引掛爪６ａがそれぞれボディ１ａの側面に形成された段部７に係合し、カバー１ｂとボディ１ａとが組立枠６により固定される。ここで、組立枠６には、後述するプレート２４に設けられた取付孔（図示せず）に係合可能な一対の係合爪６ｂが両端近傍に突設されるとともに、金属製の取付枠（図示せず）の係止爪が係止される一対の係止孔６ｃ，６ｃを有する突片６ｄがカバー１ｂの側面に沿う方向に突設してある。
【００１３】
一方、ボディ１ａの略中央には底部より立設された周壁１１により四方を囲まれ、後述する接地極用刃受ばねブロックＢが収納される凹部１２と、この凹部１２の周りに底部より立設された隔壁１３で仕切られ、電圧極の栓刃受け部１０，１０が収納される収納凹所１４…と、端子部１６が収納される収納凹所１５，１５とが設けてある。なお、ボディ１ａの底部には凹部１２及び端子部１６が収納される収納凹所１５と連通する電線挿入口１７と、凹部１２と連通する電線挿入口１８とが開口されている。
【００１４】
端子部１６は、電線と接続される端子片１６ａと、この端子片１６ａに電線を圧接接続する鎖錠ばね１９…と、端子片１６ａと電線との接続を外すために鎖錠ばね１９…を圧接解除方向に撓ませる解除釦２０とを具備した速結端子構造を有している。ここで、本参考例においては、端子部１６の端子片１６ａと、電圧極の接触子及び栓刃に対応した２つの接触子受け部９，１０とを１枚の金属板を折曲することにより一体に形成して刃受ばねブロックＡを構成している。なお、２つの刃受ばねブロックＡ，Ａは面対称に形成されており、互いに鏡像の関係にある。
【００１５】
図１に示すように金属板を折曲して形成される刃受ばねブロックＡの基部２１の中央部より一対の端子片１６ａが突設されるとともに、その両側に接触子受け部９と栓刃受け部１０が設けてある。この基部２１の中央部には、先端部が二股に分割されて成る当接片２２ａ，２２ａを有するＬ形片２２が、端子片１６ａ，１６ａに対して反対側に突設されている。そして、互いに対向する端子片１６ａ，１６ａと当接片２２ａ，２２ａの間にそれぞれ鎖錠ばね１９，１９が配置してあり、端子片１６ａに鎖錠ばね１９に設けた鎖錠片１９ａ及び接触片１９ｂが対向させてある。
【００１６】
鎖錠ばね１９は、弾性を有する導電材料の帯板の両端部を曲成して中央片１９ｃの両端部に鎖錠片１９ａ及び接触片１９ｂが形成されて成る。鎖錠片１９ａは中央片１９ｃとの連結部位から先端縁に向かって端子片１６ａに近づく向きに傾斜し、接触片１９ｂは略Ｓ字形に曲成されている。また、中央片１９ｃは略平板状に形成されていて当接片２２ａに当接する。而して、鎖錠ばね１９の鎖錠片１９ａ及び接触片１９ｂと刃受ばねブロックＡの端子片１６ａとの間に電線が挿入されると、鎖錠片１９ａの先端が電線に食い込んで抜け止めがなされるとともに、鎖錠片１９ａ及び接触片１９ｂによって電線が端子片１６ａに圧接されることにより、電線と端子片１６ａとの導通（接続）が図られる。ここで、端子片１６ａの内側面はローレット加工が施されており、電線の圧接時における接触安定性が図られている。なお、刃受ばねブロックＡの端子部１６に対応する解除釦２０は、収納凹所１５内でボディ１ａの底面に対して略平行にスライド移動自在に一対の鎖錠ばね１９，１９の間に配置されており、ボディ１ａの底部に設けられる解除釦操作孔２３を通してドライバ等の治具により操作されてスライド移動させることにより、鎖錠ばね１９の鎖錠片１９ａを圧接解除方向に撓ませ、鎖錠片１９ａの先端を電線から引き離して端子片１６ａと電線との接続を解除するものである。
【００１７】
一方、ユニバーサル型のコンセント口２を構成する接触子挿入口４に対応した接触子受け部９は、基部２１の一端部より突設されて互いに対向配置される一対の導電ピン用刃受ばね９ａ，９ａと、導電ピン用刃受ばね９ａ，９ａの側端間を結ぶ線よりも導電ピン用刃受ばね９ａ，９ａと離れた位置において上方に導電ピン用刃受ばね９ａ，９ａと直角に突設された栓刃用刃受ばね９ｂとを有している。したがって、対向する一対の導電ピン用刃受ばね９ａ，９ａの間に円柱状の導電ピンが挿入されて刃受ばねブロックＡと導電ピンとが接続されるとともに、これら一対の導電ピン用刃受ばね９ａ，９ａの端部と栓刃用刃受ばね９ｂとの間に平板状の栓刃が挿入されて刃受ばねブロックＡと栓刃とが接続されるのである。また、３極型のコンセント口３を構成する栓刃挿入口５に対応した栓刃受け部１０は、互いに対向配置される一対の栓刃用刃受ばね１０ａが基部２１の他端部より突設されて形成されるものである。
【００１８】
ここで、接触子受け部９の導電ピン用刃受ばね９ａ，９ａ並びに栓刃受け部１０の栓刃用刃受ばね１０ａ，１０ａは、ともに対向する互いの間隔が上方ほど幅狭となるように傾斜し且つ上端間が導電ピンあるいは栓刃が挿入し易いように上方ほど間隔が拡がるように傾斜させてあり、栓刃が挿入し易いようになっている。また、接触子受け部９の栓刃用刃受ばね９ｂも上方ほど導電ピン用刃受ばね９ａから遠ざかるように傾斜させてあり、接触子受け部９に栓刃が挿入し易いようにしてある。
【００１９】
一方、接地極用刃受ばねブロックＢは図８に示すように、接地極用の栓刃受け部１０’と、接地極用の端子部１６’とを板状の金属部材を折曲することにより一体に形成されており、ボディ１ａの略中央に形成された凹部１２に収納される。この栓刃受け部１０’は、栓刃挿入口５ａに挿入される接地極の栓刃に接触導通する一対の栓刃用刃受ばね１０ａ’，１０ａ’を備えている。また、端子部１６’は端子片２２ａ’及び当接片２２ｂ’を備えて鎖錠ばね１９並びに解除釦２０とともに速結端子構造を構成している。なお、栓刃受け部１０’並びに端子部１６’の構造は刃受ばねブロックＡの栓刃受け部１０並びに端子部１６の構造とほぼ共通であるので、詳しい説明は省略する。
【００２０】
上述のように構成される刃受ばねブロックＡ，Ａは、ボディ１ａの四隅に設けられた収納凹所１４に各々接触子受け部９、栓刃受け部１０を収納するようにしてボディ１ａに取り付けられる。なお、収納凹所１４，１５を仕切る隔壁１３には刃受ばねブロックＡ，Ａの基部２１が挿通されるスリット１３ａが設けてある。また、接地極用刃受ばねブロックＢがボディ１ａ略中央の凹部１２に収納するようにしてボディ１ａに取り付けられる。そして、既に説明したようにボディ１ａの開口側からカバー１ｂが結合されて器体１が構成され、各接触子受け部９とカバー１ｂの前面に設けられたユニバーサル型のコンセント口２の接触子挿入口４とが対向するとともに、栓刃受け部１０，１０’と３極型のコンセント口３の栓刃挿入口５ａ，５ｂとが対向することになる。
【００２１】
ところで、接地極用刃受ばねブロックＢをボディ１ａの凹部１２に組み込む前に、凹部１２の底に接地極用の解除釦２０’が収納される。すなわち、接地極用刃受ばねブロックＢ（接地極用の栓刃受け部１０’）の下に解除釦２０’が横方向スライド移動自在に配置されることになる。而して、このように鎖錠ばね１９の下方に解除釦２０’を配置する構成とすれば、電圧極の端子部１６のように一対の鎖錠ばね１９の間に解除釦２０を配置する構成に比較して、接地極用刃受ばねブロックＢの端子部１６’と電圧極の刃受ばねブロックＡ，Ａとの絶縁距離を大きく採ることができ、両者の間に充分な絶縁距離を確保することが可能となる。
【００２２】
また、接地極用刃受ばねブロックＢにはボディ１ａの凹部１２内の四隅近傍に配置されるとともに先端部分がボディ１ａの開口面から突出する４つの押さえリブ１０ｂ’が突設されている（図８参照）。而して、図４に示すようにボディ１ａとカバー１ｂを結合して器体１を組み立てた状態では、押さえリブ１０ｂ’の先端をカバー１ｂの背面側に当接させる（又はごくわずかな距離を隔てて対向させる）ことにより、電線が接続される際の端子部１６’の浮き上がり、並びに電線を外すために解除釦操作孔２３からドライバ等の工具が挿入された際の栓刃受け部１０’の浮き上がりを防止することができるとともに、接続された栓刃を引き抜いて外す際の栓刃受け部１０’の浮き上がりを防止することもできる。なお、このように浮き上がり防止用の押さえリブ１０ｂ’を設けるのはボディ１ａの開口面（カバー１ｂとの結合面）から端子部１６’までの距離が大きいためであり、刃受ばねブロックＡ，Ａの場合には図５に示すようにＬ形片２２の上面をカバー１ｂの背面側に当接させる（又はごくわずかな距離を隔てて対向させる）ことで浮き上がりの防止が図れる。
【００２３】
上述のように構成される本参考例のコンセントは、図９及び図１０に示すようにボックスねじ（図示せず）を取付片３１のねじ孔３２に螺合することで埋込ボックス３０の前面に取り付けられるプレート２４を用いて埋込ボックス（ＢＳ４６６２）３０に配設される。すなわち、プレート２４の略中央に設けられる開口部２４ａの周縁には組立枠６に突設された係止爪６ｂが係止する係止孔（図示せず）が設けてあり、上記係止爪６ｂを係止孔に係止することで開口部２４ａからコンセント口２，３を有する器体１の前面を露出させて器体１が取り付けられる。さらに、プレート２４の前面には器体１の前面を露出させる露出窓２５ａを具備した化粧レート２５が取り付けられてコンセントが壁面等の造営面に配設されるのである。
【００２４】
上述のように本参考例によれば、器体１を構成するボディ１ａの寸法をＢＳ（英国規格）の埋込ボックス３０内に収納可能な寸法に形成するとともに、ボディ１ａに結合されるカバー１ｂの寸法をボディ１ａよりも大きくしているので、カバー１ｂの前面にユニバーサル型のコンセント口２と３極型のコンセント口３の両方を備えたにもかかわらず、上記埋込ボックス３０に取り付けることができて使い勝手の向上とコストの削減とが図れるという利点がある。しかも、ユニバーサル型のコンセント口２と３極型のコンセント口３の両方を備えたため、平板状の栓刃と円柱状の導電ピンのように互いに形状の異なる複数種のプラグと接地極用刃受ばねブロックＢのプラグの両方に対応することが可能となり、使い勝手の良いコンセントを提供することができる。
【００２５】
（実施形態）
図１２は本発明の実施形態を示す分解斜視図である。なお、本実施形態の基本的な構成は参考例と共通であるので、共通する構成については同一の符号を付して説明を省略する。本実施形態は、ユニバーサル型のコンセント口２を構成する接触子挿入口４，４を開閉自在に閉塞する第１の扉４０と、３極型のコンセント口３を構成する栓刃挿入口５ａ，５ｂを開閉自在に閉塞する第２の扉５０と、ボディ１ａとカバー１ｂの間に配設され、第１及び第２の扉４０，５０をカバー１ｂの内側に収納するようにしてスライド移動自在に支持する中枠６０とを備えた点に特徴がある。
【００２６】
第１の扉４０は、図１６に示すように組み込み時に中枠６０に対向する背面側略中央に突条形のスライド片４１ａが突設され、且つスライド片４１ａの左右両側にスライド片４１ａよりも高さ寸法の低い（突出量の少ない）支持片４１ｂがスライド片４１ａと略平行に突設されるとともに、表面側にコイルばね４３の一端部が収納される収納部４１ｃ、この収納部４１ｃ内に突設されてコイルばね４３が係止される係止部４１ｄを有する主部４１と、主部４１の両側に突設され接触子挿入口４，４をカバー１ｂの内側で閉塞する閉塞部４２とを備えている。
【００２７】
閉塞部４２の表面には主部４１に近い側に第１の傾斜面４２ａが形成され、その外側に第２の傾斜面４２ｂが形成されている。これら２つの傾斜面４２ａ，４２ｂは収納部４１ｃの開口面側から前方に向けて傾斜しており、両者の間には段差が設けられて第１の傾斜面４２ａよりも第２の傾斜面４２ｂが前方へ突出している。なお、第１の傾斜面４２ａの先端部には主部４１の背面と略平行な平行面４２ｃが形成してある。そして、この第１の扉４０は、図１３〜図１５に示すカバー１ｂの背面に形成されているばね受け突起２９にコイルばね４３の自由端を当接させた状態でカバー１ｂに取り付けられる。
【００２８】
第２の扉５０は、図１７に示すように栓刃挿入口５ａから挿入される接地極の栓刃のための挿通孔５１を有するとともに、一端側に傾斜面５２が、両側に傾斜辺が形成されている他端側にばね受け突起５３が立ち上げられており、ばね受け突起５３と挿通孔５１との間には、この部分に配置されるコイルばね５４の両側を囲むことになるリブ５５，５５が設けてある。また、第２の扉５０の背面側で上記傾斜面５２が設けられた部分の裏側となるところには、補強用突部５６が設けられ、他端側にはガイド溝５７が設けてある。そして、この第２の扉５０は、図１３〜図１５に示すようにカバー１ｂの背面に形成されているリブに傾斜面５２の部分やばね受け突起５３の部分をスライド移動自在に係合させるとともに、ばね受け突起５３とカバー１ｂ側のばね受けリブ２６との間にコイルばね５４が配置された状態でカバー１ｂに取り付けられる。この時、第２の扉５０の一対の傾斜辺が逆ハ字形に並ぶ栓刃挿入口５ｂ，５ｂと略平行となるようにしてあるとともに、上記コイルばね５４により弾性付勢でカバー１ｂの背面に形成された傾斜壁２７に傾斜辺が当接することで、図１８〜図２０に示すように栓刃挿入口５ｂ，５ｂが第２の扉５０で閉塞された状態となる。
【００２９】
一方、中枠６０は合成樹脂製であって矩形の主部６０ａの一端部から略Ｔ形の突出部６０ｂが突設されている。主部６０ａには、３つの栓刃挿通孔６１が、３極型のコンセント口３を構成する３つの栓刃挿入口５ａ，５ｂ，５ｂに対応する位置に設けてある。また、カバー１ｂの背面と対向する主部６０ａの表面には、第２の扉５０の補強用突部５６がスライド移動自在に係合するスライドガイド溝６５が、接地極の栓刃に対応して略中央に設けられた栓刃挿通孔６１の周囲に凹設され、この栓刃挿通孔６１の端部近傍にコイルばね５４の浮きを抑えるための突部６３が突設されるとともに、第２の扉５０のガイド溝５７にスライド移動自在に係合する突条形のガイドリブ６２が突設されている。さらに主部６０ａの突出部６０ｂ側の両端部表面には、第２の扉５０の移動範囲を規制するストッパ６６が突設されている。
【００３０】
また、突出部６０ｂの表面には、第１の扉４０のスライド片４１ａがスライド移動自在に係合するスライド溝６４が、略平行に突設された一対の突条６４ａの間に形成されている。さらに、主部６０ａの表面端部の上記突条６４ａ外側に、第１の扉４０が開いた状態（接触子挿入口４を閉塞しない状態）で第１の扉４０の支持片４１ｂと当接する台部６７が突設されている。
【００３１】
而して、第１及び第２の扉４０，５０や中枠６０を組み付けたカバー１ｂを、実施形態１で説明した刃受ばねブロックＡ，Ａや接地極用刃受ばねブロックＢ等を組み込んだボディ１ａと結合すれば、ユニバーサル型のコンセント口２を構成する接触子挿入口４，４が第１の扉４０で閉塞されるとともに３極型のコンセント口３を構成する栓刃挿入口５ａ，５ｂ，５ｂが第２の扉５０で閉塞されたコンセントとなり、何れのコンセント口２，３からも充電部の露出がないものとなる。
【００３２】
次に、各コンセント口２，３にプラグを接続する際の扉４０，５０の動作について説明する。
まず、３極型のコンセント口３については、プラグの栓刃を栓刃挿入口５ａ，５ｂ，５ｂに挿入すればよく、この時、３極のうちの接地極の栓刃が第２の扉５０の傾斜面５２を押してコイルばね５４に抗して第２の扉５０をスライド移動させることにより、第２の扉５０によって閉塞されていた各栓刃挿入口５ａ，５ｂ，５ｂが開かれ、栓刃が第２の扉５０の挿通孔５１と傾斜辺の側を通るとともに、中枠６０の栓刃挿通孔６１を通じて刃受ばねブロックＡ，Ａの栓刃受け部１０及び接地極刃受ばねブロックＢの栓刃受け部１０’に接続される。また、この時、栓刃は第２の扉５０の縁や中枠６０の栓刃挿通孔６１の縁に沿って挿入されることで、刃受ばね１０ａ，１０ａ’側へと傾くことなく送り込まれる。
【００３３】
ここで、第２の扉５０の傾斜面５２の周囲を囲んでいる壁が、栓刃を傾斜面５２へと導く上に、第２の扉５０と中枠６０との間には補強用突部５６とスライドガイド溝６５並びにガイド溝５７とガイドリブ６２との係合によるスライドガイドがあるために、第２の扉５０は栓刃に押されてスムーズにスライド移動して栓刃挿入口５ａ…を開くことができる。また、コイルばね５４がばね受け突起５３とリブ５５とカバー１ｂのばね受けリブ２６及び中枠６０の突部６３で周囲が囲まれているために、コイルばね５４が浮いたりずれたりすることが防止できる。さらに、上記補強用突部５６は、栓刃で押されるために強度が必要となる傾斜面５２部分の補強を行う存在ともなっており、中枠６０のガイドリブ６２も、その両側に位置する互いに異なる極となる充電部間の絶縁距離を増し、切り粉によって栓刃同士が短絡してしまうような事態の発生を防ぐことができる。
【００３４】
続いて、ユニバーサル型のコンセント口２についても、プラグの接触子（栓刃や導電ピン等）を接触子挿入口４，４に挿入すればよく、接触子が平行栓刃の場合には接触子挿入口４，４の矩形孔４ａに挿入された接触子（栓刃）が、第１の扉４０の第１の傾斜面４２ａを押してコイルばね４３に抗して第１の扉４０をスライド移動させることにより、第１の扉４０によって閉塞されていた各接触子挿入口４，４が開かれ、接触子（栓刃）が中枠６０の突出部６０ｂの両側近傍を通って刃受ばねブロックＡ，Ａの接触子受け部９，９に接続される。また、接触子が平行栓刃以外の導電ピン等の場合には接触子挿入口４，４の半円形孔４ｂに挿入された接触子が、第１の扉４０の第２の傾斜面４２ｂを押してコイルばね４３に抗して第１の扉４０をスライド移動させることにより、各接触子挿入口４，４が開かれ、接触子が中枠６０の突出部６０ｂの両側近傍を通って刃受ばねブロックＡ，Ａの接触子受け部９，９に接続される。
【００３５】
ここで、第１の扉４０は、中枠６０のスライド溝６４にスライド片４１ａを係合することによってスライド移動自在に支持されているのであるが、さらに長手方向（接触子挿入口４，４を結ぶ線と平行な方向）についてはスライド片４１ａを支点としてシーソー動自在となっている。そのため、図２１及び図２２に示すように片方の接触子挿入口４にのみ接触子あるいは接触子以外の異物Ｐが挿入された場合には、第１の扉４０の片側の傾斜面４２ａ又は４２ｂが押されることで中枠６０に対して第１の扉４０が傾き、上記異物Ｐ等で押されている側と反対側の傾斜面４２ｂの上端部がカバー１ｂの背面に突設された規制リブ２８（図１４及び図２１参照）に当接してスライド移動することができなくなるので、片側の接触子挿入口４に接触子や異物Ｐが挿入された場合には第１の扉４０が開かずに何れの接触子挿入口４，４も閉塞されたままとなる。その結果、片方の接触子だけが接触子挿入口４に挿入されたり、片方の接触子挿入口４に異物Ｐが挿入されたような場合に接触子挿入口４，４が開いて充電部が露出するような事態の発生を防ぐことができる。なお、第１の扉４０が途中まで開かれた状態で、スライド片４１ａの両側に突設された支持片４１ｂが中枠６０の台部６７に当接することで上述のようなシーソー動が規制されるため、プラグを正規に接続する際の第１の扉４０の動きをスムーズにすることができる。
【００３６】
ところで、平行栓刃に対応する第１の傾斜面４２ａが押される場合にはシーソー動の支点であるスライド片４１ａからの距離が近いために、第１の扉４０の傾きが小さくなってカバー１ｂの規制リブ２８に当接しない虞がある。そこで、本実施形態では、第１の傾斜面４２ａの先端部に平行面４２ｃを形成することにより、ヘアピン等の細い（直径１〔ｍｍ〕程度）異物が接触子挿入口４に挿入された場合に、上記平行面４２ｃに上記異物が到達した後は異物が挿入方向に押されても第１の扉４０にスライド移動方向の力がはたらかなくなり、第１の扉４０が誤って開いて充電部が露出してしまうというような事態の発生を防ぐことができる。
【００３７】
なお、接触子挿入口を開閉自在に閉塞する扉の構造については従来より種々提案されており、例えば扉を２つ割りの構成にしてカバーの接触子挿入口の背面側にスライド移動自在に配設したものがあるが、このものでは、上記のような細い異物で押された場合にも扉が開いて充電部が露出したり、２つ割りされた扉の位置が安定せずに接触子の抜き差しを繰り返すことで扉間に隙間ができたり、あるいは片方の接触子挿入口にのみ接触子が挿入された場合にも扉が開いてしまうなどの問題が生じる虞があった。而して、本実施形態の第１の扉４０の構造であれば、１つの扉４０で接触子挿入口４，４を開閉するために動作が安定し、接触子の抜き差しを繰り返しても隙間が生じることがなく、また、上記のような細い異物が挿入されても扉４０が開くことがないものである。
【００３８】
【発明の効果】
請求項１の発明は、規格化された埋込ボックスに取付可能な寸法に形成された略箱形のボディ、このボディよりも大きい寸法に形成され開口面側からボディと結合されるカバーより成る器体と、カバーの前面に設けられ、形状が異なる複数種の接触子が挿入される２個の接触子挿入口から成るコンセント口と、カバーの前面に設けられ、接地極を含む３つの接触子が各々挿入される３個の接触子挿入口から成る３極型のコンセント口と、器体内に納装され埋込ボックスに配設された電線と接続される端子部と、器体内に収納され、各コンセント口の接触子挿入口から挿入される接触子と接触導通するとともに端子部と電気的に接続される接触子受け部とを備えたので、２極と３極のコンセント口を具備し、英国規格に規定されている埋込ボックスのように比較的に内径寸法が小さい、規格化された埋込ボックスに取り付けることのできるコンセントが提供できるという効果がある。また、形状の異なる接触子が挿入可能な接触子挿入口を開閉自在に閉塞し且つ接触子挿入口に挿入される接触子により開けられる第１の扉と、接地極を含む３つの接触子が挿入される３個の接触子挿入口を開閉自在に閉塞し且つ接触子挿入口に挿入される接触子により開けられる第２の扉とを器体内に配設したので、２極と３極の２つのコンセント口を第１及び第２の扉で独立して閉塞することができ、何れか一方のコンセント口に接触子が挿入されている状態で他方のコンセント口の接触子挿入口から充電部が露出することがない安全なコンセントが提供できるという効果がある。さらに、カバーの前面に略平行な方向にスライド移動自在であり且つスライド移動方向に略直交する平面内でシーソー動自在に第１の扉を支持する中枠を備え、この中枠をカバーの背面に対向させて器体内に収納するとともに第１の扉が傾いたときに少なくとも第１の扉の一部に当接して第１の扉のスライド移動を規制する規制リブをカバーの背面に設けたので、２極のコンセント口の片方の接触子挿入口のみに接触子が挿入された場合に、該接触子により押されることで第１の扉が傾くと、第１の扉が規制リブに当接してスライド移動が規制されるために開かず、充電部が露出するような事態の発生を防ぐことができるという効果がある。
【００３９】
請求項２の発明は、端子部が、電線と接続される端子片と、この端子片に電線を圧接接続する鎖錠ばねと、鎖錠ばねを圧接解除方向に撓ませる解除釦とを具備し、３極型のコンセント口の接地極に対応する端子部が収納される収納凹所をボディに設けるとともに端子片並びに鎖錠ばねの下方の収納凹所底部に解除釦を配置したので、鎖錠ばねの間に解除釦を配置する構成に比較して、他の端子部との絶縁距離を大きく採ることができ、両者の間に充分な絶縁距離を確保することが可能となるという効果がある。
【００４０】
請求項３の発明は、端子部が収納される収納凹所をボディに設けるとともに、ボディとカバーを結合した際にカバーに当接する押さえリブを端子部に設けたので、押さえリブによって端子部の動きが規制され、電線の接続時や取外し時に端子部が浮き上がることを防止できるという効果がある。
【図面の簡単な説明】
【図１】参考例を示す分解斜視図である。
【図２】同上の正面図である。
【図３】同上の背面図である。
【図４】同上の長手方向側面断面図である。
【図５】同上の短幅方向側面断面図である。
【図６】同上のカバーを外した状態の正面図である。
【図７】同上のカバーを外した状態の斜視図である。
【図８】同上における接地極用刃受ばねブロックを示し、（ａ）は正面図、（ｂ）は側面図、（ｃ）は他方向から見た側面図である。
【図９】同上を埋込ボックスに取り付けた状態の側面断面図である。
【図１０】同上を埋込ボックスに取り付けた状態の一部破断した斜視図である。
【図１１】同上が取り付けられる埋込ボックスを示し、（ａ）は正面図、（ｂ）は側面断面図である。
【図１２】実施形態を示す分解斜視図である。
【図１３】（ａ）は同上の正面図、（ｂ）は同上の長手方向側面断面図である。
【図１４】同上におけるカバー、第１及び第２の扉及び中枠の分解斜視図である。
【図１５】同上のボディを外した状態の一部破断した正面図である。
【図１６】同上における第１の扉を示し、（ａ）は正面図、（ｂ）は側面図、（ｃ）は他の方向から見た側面図、（ｄ）は同図（ａ）のＸ−Ｘ線断面矢視図、（ｅ）は同図（ａ）のＹ−Ｙ線断面矢視図である。
【図１７】同上における第２の扉を示し、（ａ）は正面図、（ｂ）は同図（ａ）のＸ−Ｘ線断面矢視図、（ｃ）は背面図、（ｄ）は同図（ａ）のＹ−Ｙ線断面矢視図である。
【図１８】同上の要部を示す短幅方向側面断面図である。
【図１９】同上の要部を示す一部省略した正面図である。
【図２０】同上の要部を示す一部省略した側面断面図である。
【図２１】（ａ）及び（ｂ）は同上における第１の扉の開閉動作を説明するための説明図である。
【図２２】同上における第１の扉の開閉動作を説明するための説明図である。
【符号の説明】
１  器体
１ａ  ボディ
１ｂ  カバー
２  コンセント口
３  コンセント口
４  接触子挿入口
５  栓刃挿入口
９  接触子受け部
１０  栓刃受け部
１６  端子部
【図１】
0003627487.tif 000002
【図２】
0003627487.tif 000003
【図３】
0003627487.tif 000004
【図４】
0003627487.tif 000005
【図５】
0003627487.tif 000006
【図６】
0003627487.tif 000007
【図７】
0003627487.tif 000008
【図８】
0003627487.tif 000009
【図９】
0003627487.tif 000010
【図１０】
0003627487.tif 000011
【図１１】
0003627487.tif 000012
【図１２】
0003627487.tif 000013
【図１３】
0003627487.tif 000014
【図１４】
0003627487.tif 000015
【図１５】
0003627487.tif 000016
【図１６】
0003627487.tif 000017
【図１７】
0003627487.tif 000018
【図１８】
0003627487.tif 000019
【図１９】
0003627487.tif 000020
【図２０】
0003627487.tif 000021
【図２１】
0003627487.tif 000022
【図２２】
0003627487.tif 000023